(57)【要約】【課題】液晶表示装置に関し、側面保持機構部の周辺の強度を向上させることにより装置全体の強度を向上させることのできる液晶表示装置を提供することを目的とする。【解決手段】液晶パネル１２と、液晶パネルを照明するための導光板１４と、液晶パネルの周辺部を覆うベゼル１６と、液晶パネルが載置されるキャリアフレーム１８と、ベゼルの側壁とキャリアフレームとを結合するねじと、バックライトの裏面側からねじの位置を越えて延び且つねじが通る穴３４ａを有する部分３４を有する裏面蓋２０とを備える構成とする。【選択図】      図４
2004302117.tif 000002
【特許請求の範囲】
【請求項１】
液晶パネルと、該液晶パネルを照明するための導光板と、該液晶パネルの周辺部を覆うベゼルと、該液晶パネルが載置されるフレームと、該ベゼルの側壁と該フレームとを結合するねじと、該バックライトの裏面側から該ねじの位置を越えて延び且つ該ねじが通る穴を有する部分を有する裏面蓋とを備えることを特徴とする液晶表示装置。
【請求項２】
該裏面蓋の部分は該ベゼルの表面まで延び、該ベゼルは該裏面蓋の部分が嵌合される穴を有することを特徴とする請求項１に記載の液晶表示装置。
【請求項３】
液晶パネルと、該液晶パネルを照明するための導光板と、該液晶パネルの周辺部を覆うベゼルと、該液晶パネルが載置されるフレームと、該ベゼルの側壁と該フレームとを結合するねじと、該バックライトの裏面に配置される裏面蓋と、該裏面蓋の部分と該ベゼルの側壁とを一緒に保持する固定部材とを備えることを特徴とする液晶表示装置。
【請求項４】
該固定部材は該フレームの側面に沿って延びる第１の部分と該ベゼルの側面に沿って延びる第２の部分を有し、該固定部材の第１の部分は該ねじが螺合されるねじ穴を有し、該固定部材の第２の部分は該ねじが挿入される穴を有し、該ねじは該固定部材の第２の部分の穴、該ベゼルの側壁の穴を通って該フレームのねじ穴及び該固定部材の第１の部分のねじ穴に螺合されることを特徴とする請求項３に記載の液晶表示装置。
【発明の詳細な説明】
【０００１】
【発明の属する技術分野】
本発明は液晶表示装置に関する。
【０００２】
【従来の技術】
液晶表示装置は一対の基板の間に液晶を挟持してなる液晶パネルと照明装置を含む。液晶パネルは一対の偏光子を含む。照明装置はフロントライト又はバックライトとして構成され、導光板を含む。
【０００３】
液晶パネル及び照明装置は筐体の内部に配置されている。例えば、筐体は、液晶パネルの周辺部を覆うベゼルと、照明装置を収容する裏面蓋（シャーシ）とからなる。さらに、液晶パネルを載置させるフレームが設けられ、フレームは裏面蓋に結合される。
【０００４】
液晶表示装置のサイズを低減するために、液晶表示装置の額縁部分を縮小し、ベゼルの側壁とシャーシ又はフレームとをねじで結合する側面保持機構が採用されている（例えば、特許文献１、２、３参照）。側面保持機構では、ベゼルの側壁に穴を設け、シャーシ又はフレームの側面にねじ穴を設け、ねじがベゼルの側壁の穴に挿入され、シャーシ又はフレームの側壁のねじ穴に螺合されるようになっている。
【０００５】
【特許文献１】
特開平７−９９３９４号公報
【特許文献２】
特開平１１−３０５２０９号公報
【特許文献３】
特開２００１−３０５９８４号公報
【０００６】
【発明が解決しようとする課題】
しかし、側面保持機構ではベゼルの側壁に穴を設け、シャーシ又はフレームにねじ穴を設け、これらをねじによって締結しているので、ベゼル及びシャーシ又はフレームの締結部分にストレスがかかり、ベゼル及びシャーシ又はフレームの締結部分の強度が低下する問題がある。
【０００７】
本発明の目的は側面保持機構の周辺の強度を向上させることにより装置全体の強度を向上させることのできる液晶表示装置を提供することである。
【０００８】
【課題を解決するための手段】
本発明による液晶表示装置は、液晶パネルと、該液晶パネルを照明するための導光板と、該液晶パネルの周辺部を覆うベゼルと、該液晶パネルが載置されるフレームと、該ベゼルの側壁と該フレームとを結合するねじと、該バックライトの裏面側から該ねじの位置を越えて延び且つ該ねじが通る穴を有する部分を有する裏面蓋とを備えることを特徴とするものである。
【０００９】
この構成によれば、ねじがベゼルの側壁とフレームとを結合するときに、裏面蓋の部分はベゼルの側壁とフレームの間に配置され、ねじは裏面蓋の部分の穴に通され、よって裏面蓋の部分はベゼルの側壁及びフレームと一緒にねじ止めされる。従って、側面保時機構部の周辺は裏面蓋の部分によって強化され、液晶表示装置の強度及び信頼性が向上する。
【００１０】
また、本発明による液晶表示装置は、液晶パネルと、該液晶パネルを照明するための導光板と、該液晶パネルの周辺部を覆うベゼルと、該液晶パネルが載置されるフレームと、該ベゼルの側壁と該フレームとを結合するねじと、該バックライトの裏面に配置される裏面蓋と、該裏面蓋の部分と該ベゼルの側壁とを一緒に保持する固定部材とを備えることを特徴とするものである。
【００１１】
この構成によれば、ねじがベゼルの側壁とフレームとを結合するとともに、固定部材が裏面蓋とベゼルの側壁とを一緒に保持する。フレームは裏面蓋とベゼルの側壁との間に配置されており、結局、固定部材は、裏面蓋の形状を複雑な形状にさせることなく、裏面蓋の部分とベゼルの側壁とフレームとを一緒に保持することになる。従って、側面保持機構部の周辺は固定部材によって強化され、液晶表示装置の強度及び信頼性が向上する。
【００１２】
【発明の実態の形態】
以下本発明の実施例について図面を参照して説明する。
【００１３】
図１は本発明による液晶表示装置を示す分解斜視図である。図２は液晶表示装置を示す正面図、図３は図２の矢印ＩＩＩ  から見た図２の液晶表示装置を示す側面図である。
【００１４】
液晶表示装置１０は、液晶パネル１２と、液晶パネル１２を照明するための導光板１４と、ベゼル（上筐体）１６と、キャリッジフレーム１８と、裏面蓋（シャーシ）２０とを備える。液晶パネル１２は一対の基板の間に液晶を挟持してなるものであり、１つ又は一対の偏光子を含むことができる。
【００１５】
導光板１４はバックライトの構成部材であり、アクリルなどの透明度の高い樹脂で作られる。バックライトはさらに導光板１４の側部に配置された光源及びリフレクタ２２を含む。光源は導光板１４の側面に沿って配置され、導光板１４に向かって開口したリフレクタ２２内に配置される。リフレクタ２２は主としてＳＵＳ、鉄、アルミなどで作られ、光源側に銀蒸着または白色反射層を設け、光源からの光を効率よく反射させるための処理を施してある。
【００１６】
さらに、液晶表示装置１０は、導光板２２の下部に配置され、導光板２２から漏れた光を反射させ、再度導光板２２の内部へ光を戻す役割をする反射シート２４と、導光板２２の上部に配置され、導光板２２から放出される光を集光、拡散などして、液晶パネル１２へ効率よく光を放出させる化学シート２６を含む。さらに、液晶表示装置１０は液晶パネル１２に接続された制御基板２８を含む。制御基板２８は外部からの信号を液晶パネル１２に伝え、液晶パネル１２の画面表示を制御する。
【００１７】
図４は液晶表示装置の一部を拡大して示す断面図である。図５はねじを螺合した状態の図４の液晶表示装置を示す断面図である。図１から図５において、ベゼル１６は主としてＳＵＳ、鉄、アルミ等の金属で作られる。ベゼル１６は、液晶パネル１２の周辺部を覆い、液晶パネル１２の画面表示部を露出させる開口部を有する上壁１６ａと、上壁１６ａからほぼ直角に曲げられた側壁１６ｂとを有する。側壁１６ｂはねじ３０を挿入するための穴１６ｃを有する。
【００１８】
キャリッジフレーム１８はポリカーボネート等の樹脂成形品またはＳＵＳ、アルミなどの金属類で作られている。キャリッジフレーム１８は、液晶パネル１２が載置される上面載置部１８ａと、液晶パネル１２を位置決めする位置決め部１８ｂと、側面に開口するねじ穴１８ｃとを有する。ねじ３０はベゼル１６の側壁１６ｂの穴１６ｃを通り、キャリッジフレーム１８のねじ穴１８ｃに螺合される。ねじ穴１８ｃはキャリッジフレーム１８に直接に加工されているか、もしくはキャリッジフレーム１８に埋め込まれたナットとして形成される。さらに、キャリッジフレーム１８は導光板１４を囲む。
【００１９】
裏面蓋２０は導光板１４の底部を覆い且つ導光板１４の側面の中間部まで立ち上がる側壁を有し、リフレクタ２２及び導光板１４を収納する構造となっている。裏面蓋２０はキャリッジフレーム１８と同様にポリカーボネート等の樹脂成形品またはＳＵＳ、アルミなどの金属類で作られる。
【００２０】
裏面蓋２０は例えばキャリッジフレーム１８に設けられた爪３２によってキャリッジフレーム１８と結合されている。さらに、裏面蓋２０は導光板（バックライト）１４の裏面側からキャリッジフレーム１８の下端を回り、ねじ３０の位置を越えて上方へ延びる部分３４を有する。この部分３４はキャリッジフレーム１８とベゼル１６の側壁１６ｂの間をキャリッジフレーム１８の側面に沿って延び、ベゼル１６の側壁１６ｂの穴１６ｃから挿入されたねじ３０が通る穴３４ａを有する。また、制御基板２８はベゼル１６の側壁１６ｂと裏面蓋２０の部分３４の間に配置され、ねじ３０が通る穴２８ａを有する。制御基板２８はフレキシブルプリント基板３６によって液晶パネル１２の一方の基板に設けた電極に接続され、かつ、外部の制御装置に接続される。
【００２１】
ベゼル１６の側壁１６ｂの穴１６ｃ、裏面蓋２０の部分３４の穴３４ａ、キャリッジフレーム１８のねじ穴１８ｃ、およびねじ３０からなる側面固定機構はベゼル１６の周囲に少なくとも一か所、好ましくは複数箇所設けられる。
【００２２】
上記構成においては、ねじ３０がベゼル１６の側壁１６ｂとキャリアフレーム１８とを結合するときに、裏面蓋２０の部分３４はベゼル１６の側壁１６ｂとキャリアフレーム１８の間に配置され、ねじ３０は裏面蓋２０の部分３４の穴３４ａに通され、よって裏面蓋２０の部分３４はベゼル１６の側壁１６ｂ及びキャリアフレーム１８と一緒にねじ止めされる。従って、側面保持機構の周辺は裏面蓋２０の部分３４によって強化され、液晶表示装置の強度及び信頼性が向上する。さらに、このときに、ベゼル１６、制御基板２８、裏面蓋２０の部分３４、及びキャリアフレーム１８がねじ３０によって一括で固定されることができるので、製品としての固定強度が増し、外部からの衝撃に対し内蔵部材を保護することが可能となる。
【００２３】
図６は本発明の他の実施例の液晶表示装置を示す断面図である。図６の実施例は下記の事項を除いて図４及び図５の実施例とほぼ同様である。すなわち、図４及び図５の実施例では、裏面蓋２０の部分３４はねじ３０の直上の位置で終端していたのに対して、図６の実施例では、裏面蓋２０の部分３４はねじ３０の位置を超えてさらにベゼル１６の表面まで延び、ベゼル１６は裏面蓋２０の部分３４が嵌合される穴３８を有する。
【００２４】
この構成によれば、図４及び図５を参照して説明した作用効果を奏するとともに、ベゼル１６を組み込むときには裏面蓋２０の部分３４の先端がベゼル１６の穴３８に差し込まれることにより、ベゼル１６と裏面蓋２０との固定強度が増し、外部からの衝撃に対し内蔵部材を保護することが可能となる。
【００２５】
図７は本発明の他の実施例の液晶表示装置を示す断面図である。図７の実施例は下記の事項を除いて図４及び図５の実施例とほぼ同様である。すなわち、図７の実施例においては、裏面蓋２０のねじ３０を越えて延びる部分３４はないが、裏面蓋２０はキャリアフレーム１８の下方部分とほぼ平行に延びる部分４０を有し、裏面蓋２０の部分４０の下端部とベゼル１６の側壁１６ｂの下端部とを一緒に保持するクリップ（固定部材）４２が配置される。クリップ４２は液晶パネル１２に対して垂直な方向から見てほぼねじ３０（ねじ穴１８ｃ）を通る線上に配置される。クリップ４２はほぼ断面Ｕ字形状を有する弾性的なクリップからなる。クリップ４２は裏面蓋２０の部分４０とベゼル１６の側壁１６ｂに設けられた係止溝に係止されるようにすることもできる。クリップ４２はポリカーボネート等の樹脂成形品またはＳＵＳ、アルミなどの金属類で硬質なもので作られる。
【００２６】
この構成においては、ねじ３０がベゼル１６の側壁１６ｂとキャリアフレーム１８とを結合するとともに、この側面固定機構の付近において、液晶表示装置の裏面からベゼル１６と裏面蓋２０を挟み込むようにクリップ４２を差し込むという簡単な構造で、ベゼル１６と制御基板２８と、キャリッジフレーム１８と、裏面蓋２０とをクリップ４２により一括で固定することができるので、製品としての固定強度が増し、外部からの衝撃に対し内蔵部材を保護することが可能となる。
【００２７】
図８は本発明の他の実施例の液晶表示装置を示す断面図である。図８の実施例は下記の事項を除いて図７の実施例とほぼ同様である。すなわち、図８の実施例においては、裏面蓋２０の部分４０の下端部とベゼル１６の側壁１６ｂの下端部とを一緒に保持するクリップ（固定部材）４２が配置されるとともに、クリップ４２はキャリッジフレーム１８の側面に沿って延びる第１の部分４２ａとベゼル１６の側面に沿って延びる第２の部分４２ｂを有する。クリップ４２の第１の部分４２ａはねじ３０が螺合されるねじ穴４２ｃを有し、クリップ４２の第２の部分４２ｂはねじ３０が挿入される穴４２ｄを有する。ねじ３０はクリップ４２の第２の部分４２ｂの穴４２ｄ、ベゼル１６の側壁１６ｂの穴１６ｃを通ってキャリッジフレーム１８のねじ穴１８ｃ及びクリップ４２の第１の部分４２ａのねじ穴４２ｃに螺合される。
【００２８】
この構成においては、ねじ３０が、クリップ４２の第１の部分４２ａと、ベゼル１６と、制御基板２８と、キャリッジフレーム１８と、裏面蓋２０と、クリップ４２の第２の部分４２ｂとを一括で結合することができるとともに、この側面固定機構の付近において、液晶表示装置の裏面からベゼル１６と裏面蓋２０を挟み込むようにクリップ４２により、ベゼル１６、キャリッジフレーム１８と、裏面蓋２０、制御基板２８をクリップ４２により一括で固定することができる。よって、製品としての固定強度が増し、外部からの衝撃に対し内蔵部材を保護することが可能となる。
【００２９】
以上説明した例は下記の特徴を含む。
【００３０】
（付記１）  液晶パネルと、該液晶パネルを照明するための導光板と、蓋液晶パネルの周辺部を覆うベゼルと、該液晶パネルが載置されるフレームと、該ベゼルの側壁と該フレームとを結合するねじと、該バックライトの裏面側から該ねじの位置を越えて延び且つ該ねじが通る穴を有する部分を有する裏面蓋とを備えることを特徴とする液晶表示装置。（１）
（付記２）  該フレームは該ねじが螺合されるねじ穴を有することを特徴とする付記１に記載の液晶表示装置。
【００３１】
（付記３）  該フレームは該導光板を囲むことを特徴とする付記１に記載の液晶表示装置。
【００３２】
（付記４）  該フレームは該液晶パネルの位置決め手段を有することを特徴とする付記１に記載の液晶表示装置。
【００３３】
（付記５）  該裏面蓋の部分は該ベゼルの表面まで延び、該ベゼルは該裏面蓋の部分が嵌合される穴を有することを特徴とする付記１に記載の液晶表示装置。
（２）
（付記６）  該液晶パネルに接続された制御基板が該ベゼルの側壁と該フレームとの間の配置されることを特徴とする付記１に記載の液晶表示装置。
【００３４】
（付記７）  液晶パネルと、該液晶パネルを照明するための導光板と、該液晶パネルの周辺部を覆うベゼルと、該液晶パネルが載置されるフレームと、該ベゼルの側壁と該フレームとを結合するねじと、該バックライトの裏面に配置される裏面蓋と、該裏面蓋の部分と該ベセルの側壁とを一緒に保持する固定部材とを備えることを特徴とする液晶表示装置。（３）
（付記８）  該固定部材は該液晶パネルに対して垂直な方向から見てほぼ該ねじを通る線上に配置されることを特徴とする付記７に記載の液晶表示装置。
【００３５】
（付記９）  該フレームは該ねじが螺合されるねじ穴を有することを特徴とする付記７に記載の液晶表示装置。
【００３６】
（付記１０）  該固定部材は弾性的なクリップからなることを特徴とする付記７に記載の液晶表示装置。
【００３７】
（付記１１）  該固定部材は該フレームの側面に沿って延びる第１の部分と該ベゼルの側面に沿って延びる第２の部分を有し、該固定部材の第１の部分は該ねじが螺合されるねじ穴を有し、該固定部材の第２の部分は該ねじが挿入される穴を有し、該ねじは該固定部材の第２の部分の穴、該ベゼルの側壁の穴を通って該フレームのねじ穴及び該固定部材の第１の部分のねじ穴に螺合されることを特徴とする付記７に記載の液晶表示装置。（４）
（付記１２）  該フレームは該導光板を囲むことを特徴とする付記７に記載の液晶表示装置。
【００３８】
（付記１３）  該導光板の側部に光源とリフレクタが配置されることを特徴とする付記７に記載の液晶表示装置。
【００３９】
（付記１４）  該フレームは該液晶パネル及び該ベゼルの位置決め手段を有することを特徴とする付記７に記載の液晶表示装置。
【００４０】
（付記１５）  該液晶パネルに接続された制御基板が該ベゼルの側壁と該フレームとの間に配置されることを特徴とする付記７に記載の液晶表示装置。
【００４１】
【発明の効果】
以上説明したように、本発明によれば、液晶表示装置の周辺部の縮小化に伴い側面固定機構部の強度が低下した場合でも十分な補強効果を得ることができ、信頼性の高い液晶表示装置を提供することが可能である。
【図面の簡単な説明】
【図１】図１は本発明による液晶表示装置を示す分解斜視図である。
【図２】図２は液晶表示装置を示す正面図である。
【図３】図３は図２の矢印ＩＩＩ  から見た液晶表示装置の側面図である。
【図４】図４は液晶表示装置の一部を拡大して示す断面図である。
【図５】図５はねじを螺合した状態の図４の液晶表示装置を示す断面図である。
【図６】図６は本発明の他の実施例の液晶表示装置を示す断面図である。
【図７】図７は本発明の他の実施例の液晶表示装置を示す断面図である。
【図８】図８は本発明の他の実施例の液晶表示装置を示す断面図である。
【符号の説明】
１０…液晶表示装置
１２…液晶パネル
１４…導光板
１６…ベゼル
１８…キャリッジフレーム
２０…裏面蓋
２２…リフレクタ
２４…反射シート
２６…光学シート
２８…制御基板
３０…ねじ
３２…爪
３４…裏面蓋の部分
３８…穴
４０…裏面蓋の部分
４２…クリップ
【図１】
2004302117.tif 000003
【図２】
2004302117.tif 000004
【図３】
2004302117.tif 000005
【図４】
2004302117.tif 000006
【図５】
2004302117.tif 000007
【図６】
2004302117.tif 000008
【図７】
2004302117.tif 000009
【図８】
2004302117.tif 000010